(57)【要約】【課題】利用者に意識させずに室内の空気環境を自動的に快適化することができる環境制御装置、環境制御システム、環境制御方法、および環境制御プログラムを提供する。【解決手段】環境制御装置１０は、検知部１１、判定部１２、生成部１３、および送信部１４を備える。検知部は、室内ＲＭの温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。判定部は、空気環境因子の情報に基づき、室内の空気環境が快適範囲の範囲内であるか否かを判定する。生成部は、少なくとも判定部が判定した結果の情報、空気環境因子の情報、および空気環境因子の優先順位の情報に基づいて室内の空気環境が快適範囲の範囲内になるような制御信号を生成する。送信部は、空調機２０に制御信号を送信する。【選択図】図１
2006234381.tif 000002
【特許請求の範囲】
【請求項１】
室内の温度、前記室内の露点との温度差、前記室内の湿度、前記室内の気圧、前記室内の気流、前記室内の有害物質の濃度、前記室内の埃の濃度、および前記室内のマイナスイオン濃度のうち少なくとも２つ以上の空気環境因子を検知する検知部（１１）と、
前記空気環境因子の情報に基づき、前記室内の前記空気環境が快適範囲の範囲内であるか否かを判定する判定部（１２）と、
少なくとも前記判定部が判定した結果の情報、前記空気環境因子の情報、および前記空気環境因子の優先順位の情報に基づいて前記室内の前記空気環境が前記快適範囲の範囲内になるような制御信号を生成する生成部（１３）と、
前記室内の前記空気環境を調和する空調機（２０）に前記制御信号を送信する送信部（１４）と、
を備える、環境制御装置（１０，１１０）。
【請求項２】
前記室内の前記空気環境に対する快適感が入力される入力部（１７，１１７）と、
前記快適感の情報に基づいて、前記室内の前記空気環境の前記快適範囲を決定する決定部（１６）と、
をさらに備えた、請求項１に記載の環境制御装置。
【請求項３】
前記決定部が決めた前記快適範囲を記憶する第１記憶部（１５）をさらに備えた、
請求項２に記載の環境制御装置。
【請求項４】
前記空調機が前記室内の前記空気環境を調和するのに要するエネルギー量を演算する演算部（１８）をさらに備え、
前記生成部は、少なくとも前記判定部が判定した結果の情報に基づき、前記エネルギー量が所定の目標上限値を超えないように、前記室内の前記空気環境が前記快適範囲の範囲内になるような制御信号を生成する、
請求項１から３のいずれかに記載の環境制御装置。
【請求項５】
前記空気環境の快適範囲の情報を記憶する第２記憶部（１５）をさらに備え、
前記判定部は、前記空気環境因子の数値情報が前記快適範囲の情報の範囲内にあるか否かを判定する、
請求項１から４のいずれかに記載の環境制御装置。
【請求項６】
前記生成部は、前記室内の前記空気環境が快適範囲の範囲外であると前記判定部が判定した場合に、前記空気環境因子の情報および前記空気環境因子の優先順位の情報に基づいて前記室内の前記空気環境が前記快適範囲の範囲内になるような制御信号を生成する、
請求項１から５のいずれかに記載の環境制御装置。
【請求項７】
前記空気環境因子の情報と前記制御信号とを関連付けて記憶する第３記憶部（１５）をさらに備え、
前記生成部は、複数の前記空気環境因子の情報を前記第３記憶部に照合して複数の前記制御信号を選択した後に、前記空気環境因子の優先順位の情報に基づいて前記複数の前記制御信号から１の前記制御信号を選択する、
請求項１から６のいずれかに記載の環境制御装置。
【請求項８】
室内の温度、前記室内の露点との温度差、前記室内の湿度、前記室内の気圧、前記室内の気流、前記室内の有害物質の濃度、前記室内の埃の濃度、および前記室内のマイナスイオン濃度のうち少なくとも２つ以上の空気環境因子を検知する検知部（１１）と、前記空気環境因子の情報に基づき、前記室内の前記空気環境が快適範囲の範囲内であるか否かを判定する判定部（１２）と、少なくとも前記判定部が判定した結果の情報、前記空気環境因子の情報、および前記空気環境因子の優先順位の情報に基づいて前記室内の前記空気環境が前記快適範囲の範囲内になるような制御信号を生成する生成部（１３）と、前記制御信号を送信する送信部（１４）とを有する環境制御装置（１０，１１０）と、
前記制御信号に従って前記室内の前記空気環境を調和する空調機（２０）と、
を備える、環境制御システム（１，１００）。
【請求項９】
室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上の空気環境因子を検知する検知部（１１）と、前記空気環境因子の情報に基づき、前記室内の前記空気環境が快適範囲の範囲内であるか否かを判定する判定部（１２ａ）と、前記判定部が判定した結果を送信する送信部（１４）とを有する環境制御装置（１０，１１０）と、
少なくとも前記判定部が判定した結果の情報、前記空気環境因子の情報、および前記空気環境因子の優先順位の情報に基づいて前記室内の前記空気環境が前記快適範囲の範囲内になるような制御信号を生成する生成部（２３ａ）を有し、前記室内の前記空気環境を調和する空調機（２０ａ）と、
を備える、環境制御システム（１ａ，１００ａ）。
【請求項１０】
請求項１に記載の環境制御装置（１０，１１０）を用いて前記室内の空気環境を制御する環境制御方法であって、
前記検知部（１１）に対して、室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上の空気環境因子前記室内の前記空気環境を検知させる検知ステップと、
前記検知ステップにおいて検知された前記室内の前記空気環境の情報に基づいて前記室内の前記空気環境が快適範囲の範囲内であるか否かを前記判定部（１２）に判定させる判定ステップと、
少なくとも前記判定ステップで前記判定部により判定された結果の情報、前記空気環境因子の情報、および前記空気環境因子の優先順位の情報に基づいて前記室内の前記空気環境が前記快適範囲の範囲内になるような制御信号を前記生成部（１３）に生成させる生成ステップと、
前記送信部（１４）に、前記室内の前記空気環境を調和する空調機（２０）へ前記制御信号を送信させる送信ステップと、
を備える、環境制御方法。
【請求項１１】
請求項１に記載の環境制御装置（１０，１１０）を動作させて前記室内の空気環境を制御する環境制御プログラムであって、
前記検知部（１１）に対して、室内の温度、前記室内の露点との温度差、前記室内の湿度、前記室内の気圧、前記室内の気流、前記室内の有害物質の濃度、前記室内の埃の濃度及び前記室内のマイナスイオン濃度のうち少なくとも２つ以上の空気環境因子前記室内の前記空気環境を検知させる検知ステップと、
前記検知ステップにおいて検知された前記室内の前記空気環境の情報に基づいて前記室内の前記空気環境が快適範囲の範囲内であるか否かを前記判定部（１２）に判定させる判定ステップと、
少なくとも前記判定ステップで判定部により判定された結果の情報、前記空気環境因子の情報、および前記空気環境因子の優先順位の情報に基づいて前記室内の前記空気環境が前記快適範囲の範囲内になるような制御信号を前記生成部（１３）に生成させる生成ステップと、
前記送信部（１４）に、前記室内の前記空気環境を調和する空調機（２０）へ前記制御信号を送信させる送信ステップと、
を備える、環境制御プログラム。
【発明の詳細な説明】
【技術分野】
【０００１】
本発明は、環境制御装置、環境制御システム、環境制御方法、および環境制御プログラムに関する。
【背景技術】
【０００２】
従来から、室内が快適範囲の範囲内にあるか否かをモニターして表示する装置が提案されている（例えば、特許文献１参照。）。
【特許文献１】特開平６−２０７７３４（第１−８頁、第１−９図）
【発明の開示】
【発明が解決しようとする課題】
【０００３】
しかし、従来の装置では、快適範囲の範囲内にあるか否かが表示されるが、室内の空気環境を調和する空調機を室内の空気環境が快適になるように操作するのは利用者であるため、利用者に負担をかけることがある。すなわち、ナビゲートされた内容を確認する必要があり、ナビゲートされた内容に基づき空調機を設定する必要があることがある。
【０００４】
そこで、本発明の課題は、利用者に意識させずに室内の空気環境を自動的に快適化することができる環境制御装置、環境制御システム、環境制御方法及び環境制御プログラムを提供することにある。
【課題を解決するための手段】
【０００５】
第１発明に係る環境制御装置は、検知部、判定部、生成部、および送信部を備える。検知部は、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。判定部は、空気環境因子の情報に基づき、室内の空気環境が快適範囲の範囲内であるか否かを判定する。生成部は、少なくとも判定部が判定した結果の情報、空気環境因子の情報、および空気環境因子の優先順位の情報に基づいて室内の空気環境が快適範囲の範囲内になるような制御信号を生成する。送信部は、空調機に制御信号を送信する。空調機は、室内の空気環境を調和する。
【０００６】
この環境制御装置では、検知部が、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。次いで、判定部が、空気環境因子の情報に基づき、室内の空気環境が快適範囲の範囲内であるか否かを判定する。続いて、生成部が、少なくとも判定部が判定した結果の情報、空気環境因子の情報、および空気環境因子の優先順位の情報に基づいて室内の空気環境が快適範囲の範囲内になるような制御信号を生成する。そして、送信部が、空調機に制御信号を送信する。このため、この環境制御装置では、快適範囲について利用者に意識させずに、室内の空気環境が快適範囲の範囲内になるように空調機を制御することができる。このため、この環境制御装置では、利用者に意識させずに室内の空気環境を自動的に快適化することができる。
【０００７】
なお、空調機は、例えば、通常の空気調和機だけでなく、例えば、冷房機器、暖房機器、換気機器、除湿機、加湿機、空気清浄機なども含む。また、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つである。
【０００８】
第２発明に係る環境制御装置は、第１発明に係る環境制御装置であって、入力部および決定部をさらに備える。入力部には、室内の空気環境に対する快適感が入力される。決定部は、快適感の情報に基づいて、室内の空気環境の快適範囲を決定する。
【０００９】
この環境制御装置では、入力部に、室内の空気環境に対する快適感が入力される。そして、決定部が、快適感の情報に基づいて、室内の空気環境の快適範囲を決定する。このため、この環境制御装置では、室内の空気環境の快適範囲が利用者の快適感の情報に基づいて決定される。したがって、この環境制御装置では、快適範囲を利用者ごとに決定することができる。この結果、この環境制御装置では、利用者の好みに合わせて室内の空気環境を快適化することができる。
【００１０】
第３発明に係る環境制御装置は、第２発明に係る環境制御装置であって、第１記憶部をさらに備える。第１記憶部は、決定部が決めた快適範囲を記憶する。
【００１１】
この環境制御装置では、第１記憶部が、決定部が決めた快適範囲を記憶する。このため、この環境制御装置では、決定部が決めた快適範囲の情報を参照することができる。このため、この環境制御装置では、室内の空気環境が利用者の好みにあった快適範囲の範囲内になるような制御信号を生成することができる。
【００１２】
第４発明に係る環境制御装置は、第１発明から第３発明のいずれかに係る環境制御装置であって、演算部をさらに備える。演算部は、空調機が室内の空気環境を調和するのに要するエネルギー量を演算する。生成部は、少なくとも判定部が判定した結果の情報に基づき、エネルギー量が所定の目標上限値を超えないように、室内の空気環境が快適範囲の範囲内になるような制御信号を生成する。
【００１３】
この環境制御装置では、演算部が、空調機が室内の空気環境を調和するのに要するエネルギー量を演算する。次いで、判定部が、エネルギー量の情報を受け取り、エネルギー量が所定の目標上限値を超えているか否かをさらに判定することができる。そして、生成部が、少なくとも判定部が判定した結果の情報に基づき、エネルギー量が所定の目標上限値を超えないように、室内の空気環境が快適範囲の範囲内になるような制御信号を生成する。このため、この環境制御装置では、エネルギー量が目標上限値を超えないようにしつつ室内の空気環境が快適範囲の範囲内になるように空調機を制御することができる。したがって、この環境制御装置では、省エネルギー化を図りながら室内の空気環境を快適化することができる。
【００１４】
第５発明に係る環境制御装置は、第１発明から第４発明のいずれかに係る環境制御装置であって、第２記憶部をさらに備える。第２記憶部には、空気環境の快適範囲の情報が記憶される。判定部は、空気環境因子の数値情報が快適範囲の情報の範囲内にあるか否かを判定する。
【００１５】
第６発明に係る環境制御装置は、第１発明から第５発明のいずれかに係る環境制御装置であって、生成部は、室内の空気環境が快適範囲の範囲外であると判定部が判定した場合に、空気環境因子の情報および空気環境因子の優先順位の情報に基づいて室内の空気環境が快適範囲の範囲内になるような制御信号を生成する。
【００１６】
第７発明に係る環境制御装置は、第１発明から第６発明のいずれかに係る環境制御装置であって、第３記憶部をさらに備える。第３記憶部には、空気環境因子の情報と制御信号とが関連付けられて記憶されている。生成部は、複数の空気環境因子の情報を第３記憶部に照合して複数の制御信号を選択した後に、空気環境因子の優先順位の情報に基づいて複数の制御信号から１の制御信号を選択する。
【００１７】
第８発明に係る環境制御システムは、環境制御装置および空調機を備える。環境制御装置は、検知部、判定部、生成部、および送信部を有する。検知部は、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。判定部は、空気環境因子の情報に基づき、室内の空気環境が快適範囲の範囲内であるか否かを判定する。生成部は、少なくとも判定部が判定した結果の情報、空気環境因子の情報、および空気環境因子の優先順位の情報に基づいて室内の空気環境が快適範囲の範囲内になるような制御信号を生成する。送信部は、制御信号を送信する。空調機は、制御信号に従って室内の空気環境を調和する。
【００１８】
この環境制御システムでは、環境制御装置において、検知部が、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。次いで、判定部が、空気環境因子の情報に基づき、室内の空気環境が快適範囲の範囲内であるか否かを判定する。続いて、生成部が、少なくとも判定部が判定した結果の情報、空気環境因子の情報、および空気環境因子の優先順位の情報に基づいて室内の空気環境が快適範囲の範囲内になるような制御信号を生成する。そして、送信部が、制御信号を送信する。すると、空調機は、制御信号に従って室内の空気環境を調和する。このため、この環境制御システムでは、快適範囲について利用者に意識させずに、室内の空気環境が快適範囲の範囲内になるように空調機が制御するようにすることができる。このため、この環境制御システムでは、利用者に意識させずに室内の空気環境を自動的に快適化することができる。
【００１９】
なお、空調機は、例えば、通常の空気調和機だけでなく、例えば、冷房機器、暖房機器、換気機器、除湿機、加湿機、空気清浄機なども含む。
【００２０】
第９発明に係る環境制御システムは、環境制御装置および空調機を備える。環境制御装置は、検知部、判定部、および送信部を備える。検知部は、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。判定部は、空気環境因子の情報に基づき、室内の空気環境が快適範囲の範囲内であるか否かを判定する。送信部は、判定部が判定した結果を送信する。空調機は、生成部を有し、室内の空気環境を調和する。生成部は、少なくとも判定部が判定した結果の情報、空気環境因子の情報、および空気環境因子の優先順位の情報に基づいて室内の空気環境が快適範囲の範囲内になるような制御信号を生成する。
【００２１】
この環境制御システムでは、環境制御装置において、検知部が、室内の温度、室内の露点との温度差、室内の湿度、室内の気圧、室内の気流、室内の有害物質の濃度、室内の埃の濃度、および室内のマイナスイオン濃度のうち少なくとも２つ以上の空気環境因子を検知する。次いで、判定部が、空気環境因子の情報に基づき、室内の空気環境が快適範囲の範囲内であるか否かを判定する。続いて、送信部が、判定部が判定した結果を送信する。そして、空調機において、生成部が、少なくとも判定部が判定した結果の情報、空気環境因子の情報、および空気環境因子の優先順位の情報に基づいて室内の空気環境が快適範囲の範囲内になるような制御信号を生成する。このため、この環境制御システムでは、快適範囲について利用者に意識させずに、室内の空気環境が快適範囲の範囲内になるように空調機を制御することができる。したがって、この環境制御システムでは、利用者に意識させずに室内の空気環境を自動的に快適化することができる。
【００２２】
なお、空調機は、例えば、通常の空気調和機だけでなく、例えば、冷房機器、暖房機器、換気機器、除湿機、加湿機、空気清浄機なども含む。
【００２３】
第１０発明に係る環境制御方法は、第１発明に係る環境制御装置を用いて室内の空気環境を制御する環境制御方法であって、検知ステップ、判定ステップ、生成ステップ、および送信ステップを備える。検知ステップでは、検知部に対して、室内の温度、室内の露点との温度差、室内の湿度、室内の気圧、室内の気流、室内の有害物質の濃度、室内の埃の濃度及び室内のマイナスイオン濃度のうち少なくとも２つ以上の空気環境因子室内の空気環境を検知させる。判定ステップでは、検知ステップにおいて検知された室内の空気環境の情報に基づいて室内の空気環境が快適範囲の範囲内であるか否かを判定部に判定させる。生成ステップでは、少なくとも判定ステップで判定部により判定された結果の情報、空気環境因子の情報、および空気環境因子の優先順位の情報に基づいて室内の空気環境が快適範囲の範囲内になるような制御信号を生成部に生成させる。送信ステップでは、送信部に、室内の空気環境を調和する空調機へ制御信号を送信させる。
【００２４】
この環境制御方法が実施されると、検知ステップで、検知部が、室内の温度、室内の露点との温度差、室内の湿度、室内の気圧、室内の気流、室内の有害物質の濃度、室内の埃の濃度及び室内のマイナスイオン濃度のうち少なくとも２つ以上の空気環境因子室内の空気環境を検知する。次いで、判定ステップで、検知ステップにおいて検知された室内の空気環境の情報に基づいて室内の空気環境が快適範囲の範囲内であるか否かを判定部が判定する。続いて、生成ステップで、少なくとも判定ステップで判定部により判定された結果の情報、空気環境因子の情報、および空気環境因子の優先順位の情報に基づいて室内の空気環境が快適範囲の範囲内になるような制御信号を生成部が生成する。そして、送信ステップで、送信部が、室内の空気環境を調和する空調機へ制御信号を送信する。このため、この環境制御方法が実施されれば、快適範囲について利用者に意識させずに、室内の空気環境が快適範囲の範囲内になるように空調機を制御することができる。このため、この環境制御方法が実施されれば、利用者に意識させずに室内の空気環境を自動的に快適化することができる。
【００２５】
なお、空調機は、例えば、通常の空気調和機だけでなく、例えば、冷房機器、暖房機器、換気機器、除湿機、加湿機、空気清浄機なども含む。
【００２６】
第１１発明に係る環境制御プログラムは、第１発明に係る環境制御装置を動作させて室内の空気環境を制御する環境制御プログラムであって、検知ステップ、判定ステップ、生成ステップ、および送信ステップを備える。検知ステップでは、検知部に対して、室内の温度、室内の露点との温度差、室内の湿度、室内の気圧、室内の気流、室内の有害物質の濃度、室内の埃の濃度及び室内のマイナスイオン濃度のうち少なくとも２つ以上の空気環境因子室内の空気環境を検知させる。判定ステップでは、検知ステップにおいて検知された室内の空気環境の情報に基づいて室内の空気環境が快適範囲の範囲内であるか否かを判定部に判定させる。生成ステップでは、少なくとも判定ステップで判定部により判定された結果の情報、空気環境因子の情報、および空気環境因子の優先順位の情報に基づいて室内の空気環境が快適範囲の範囲内になるような制御信号を生成部に生成させる。送信ステップでは、送信部に、室内の空気環境を調和する空調機へ制御信号を送信させる。
【００２７】
この環境制御プログラムが実行されると、検知ステップで、検知部が、室内の温度、室内の露点との温度差、室内の湿度、室内の気圧、室内の気流、室内の有害物質の濃度、室内の埃の濃度及び室内のマイナスイオン濃度のうち少なくとも２つ以上の空気環境因子室内の空気環境を検知する。次いで、判定ステップで、検知ステップにおいて検知された室内の空気環境の情報に基づいて室内の空気環境が快適範囲の範囲内であるか否かを判定部が判定する。続いて、生成ステップで、少なくとも判定ステップで判定部により判定された結果の情報、空気環境因子の情報、および空気環境因子の優先順位の情報に基づいて室内の空気環境が快適範囲の範囲内になるような制御信号を生成部が生成する。そして、送信ステップで、送信部が、室内の空気環境を調和する空調機へ制御信号を送信する。このため、この環境制御プログラムが実行されれば、快適範囲について利用者に意識させずに、室内の空気環境が快適範囲の範囲内になるように空調機を制御することができる。このため、この環境制御プログラムが実行されれば、利用者に意識させずに室内の空気環境を自動的に快適化することができる。
【００２８】
なお、空調機は、例えば、通常の空気調和機だけでなく、例えば、冷房機器、暖房機器、換気機器、除湿機、加湿機、空気清浄機なども含む。
【発明の効果】
【００２９】
第１発明に係る環境制御装置では、快適範囲について利用者に意識させずに、室内の空気環境が快適範囲の範囲内になるように空調機を制御することができる。このため、この環境制御装置では、利用者に意識させずに室内の空気環境を自動的に快適化することができる。
【００３０】
第２発明に係る環境制御装置では、室内の空気環境の快適範囲が利用者の快適感の情報に基づいて決定される。したがって、この環境制御装置では、快適範囲を利用者ごとに決定することができる。この結果、この環境制御装置では、利用者の好みに合わせて室内の空気環境を快適化することができる。
【００３１】
第３発明に係る環境制御装置では、室内の空気環境が利用者の好みにあった快適範囲の範囲内になるような制御信号を生成することができる。
【００３２】
第４発明に係る環境制御装置では、エネルギー量が目標上限値を超えないようにしつつ室内の空気環境が快適範囲の範囲内になるように空調機を制御することができる。したがって、この環境制御装置では、省エネルギー化を図りながら室内の空気環境を快適化することができる。
【００３３】
第８発明に係る環境制御システムでは、快適範囲について利用者に意識させずに、室内の空気環境が快適範囲の範囲内になるように空調機が制御するようにすることができる。このため、この環境制御システムでは、利用者に意識させずに室内の空気環境を自動的に快適化することができる。
【００３４】
第９発明に係る環境制御システムでは、快適範囲について利用者に意識させずに、室内の空気環境が快適範囲の範囲内になるように空調機を制御することができる。したがって、この環境制御システムでは、利用者に意識させずに室内の空気環境を自動的に快適化することができる。
【００３５】
第１０発明に係る環境制御方法が実施されれば、快適範囲について利用者に意識させずに、室内の空気環境が快適範囲の範囲内になるように空調機を制御することができる。このため、この環境制御方法が実施されれば、利用者に意識させずに室内の空気環境を自動的に快適化することができる。
【００３６】
第１１発明に係る環境制御プログラムが実行されれば、快適範囲について利用者に意識させずに、室内の空気環境が快適範囲の範囲内になるように空調機を制御することができる。このため、この環境制御プログラムが実行されれば、利用者に意識させずに室内の空気環境を自動的に快適化することができる。
【発明を実施するための最良の形態】
【００３７】
［第１実施形態］
本発明の第１実施形態に係る環境制御システム１の概念図を図１に示す。また、本発明の第１実施形態に係る環境制御システム１の構成要素の構成図を図２に示す。図１に示す環境制御システム１は、主として室内ＲＭの空調環境を制御するためのシステムである。
【００３８】
＜環境制御システム１の全体構成＞
図１に示す環境制御システム１は、主として環境制御装置１０と空調機２０とを備える。環境制御装置１０は、室内ＲＭに設置され、持ち運びが可能である。環境制御装置１０は、例えば、ぴちょんくん（登録商標）の外形を備えている。空調機２０は、主として室内ＲＭ（図１参照）の空気環境を調和する。
【００３９】
＜環境制御装置１０の構成＞
図１に示す環境制御装置１０は、図２に示すように、主として、検知部１１，判定部１２，生成部１３，送信部１４及び記憶部１５を備える。記憶部１５には、主として快適範囲情報１８と制御情報１９とが記憶されている。
【００４０】
図２に示す検知部１１が、室内ＲＭ（図１参照）の空気環境を検知する。判定部１２が、室内ＲＭ（図１参照）の空気環境の情報を検知部１１から受け取る。判定部１２が、記憶部１５を参照し、快適範囲情報１８を取得する。判定部１２が、室内ＲＭ（図１参照）の空気環境の情報と快適範囲情報１８とに基づき、室内ＲＭ（図１参照）の空気環境が快適範囲の範囲内であるか否かを判定する。生成部１３が、判定部１２が判定した結果の情報と室内ＲＭ（図１参照）の空気環境の情報とを、判定部１２から受け取る。ここで、判定部１２が判定した結果の情報は、室内ＲＭ（図１参照）の空気環境が快適範囲の範囲内であるか否かの情報である。生成部１３が、記憶部１５を参照し、制御情報１９を取得する。生成部１３が、判定部１２が判定した結果の情報と室内ＲＭ（図１参照）の空気環境の情報とに基づき、室内ＲＭ（図１参照）の空気環境が快適範囲の範囲内になるような制御信号を生成する。送信部１４が、制御信号の情報を生成部１３から受け取る。送信部１４が、判定部１２が判定した結果の情報に基づき、制御信号を無線回線経由で空調機２０へ送信する。
【００４１】
＜空調機２０の構成＞
図１に示す空調機２０は、図２に示すように、主として受信部２１と環境提供部２２とを備える。
【００４２】
図２に示す受信部２１が、制御信号を無線回線経由で環境制御装置１０から受信する。環境提供部２２が、制御信号を受信部２１から受け取る。環境提供部２２が、制御信号に基づき、室内ＲＭ（図１参照）に空調環境を提供する。
【００４３】
＜快適範囲情報１８の構成＞
図２に示す快適範囲情報１８は、どのような場合に室内ＲＭ（図１参照）の空気環境が快適範囲の範囲内であるのかを示す情報である。快適範囲情報１８は、例えば、図４に示す情報である。快適範囲情報１８は、図４に示すように、主として、環境欄１８１，下限欄１８２及び上限欄１８３を備える。図４に示す快適範囲情報１８を参照することにより、例えば、温度の快適範囲が２０℃〜２６℃であることが分かる。あるいは、例えば、湿度の快適範囲が４０％〜７０％であることが分かる。あるいは、例えば、露点との温度差の快適範囲が４℃以上であることが分かる。ここで、露点との温度差とは、
露点との温度差＝（室内の温度）−（露点温度）                    （１）
の式で求められる。あるいは、例えば、埃の濃度の快適範囲が０．１０ｍｇ／ｍ３以下であることが分かる。
【００４４】
＜制御情報１９の構成＞
図２に示す制御情報１９は、生成部１３が生成する制御信号の内容の候補となる情報である。制御情報１９は、例えば、図５に示す情報である。制御情報１９は、図５に示すように、主として環境欄１９１，下限欄１９２，上限欄１９３及び制御内容欄１９４を備える。図５に示す制御情報１９を参照することにより、例えば、温度が２７℃以上のときに「設定温度を２４℃で自動運転」する制御信号を生成すべきであることが分かる。あるいは、例えば、温度が１９℃以下のときに「設定温度を２４℃で自動運転」する制御信号を生成すべきであることが分かる。あるいは、例えば、露点との温度差が４℃以上のときに「風量「弱」で除湿運転」する制御信号を生成すべきであることが分かる。あるいは、例えば、露点との温度差が０℃〜４℃のときに「風量「強」で除湿運転」する制御信号を生成すべきであることが分かる。あるいは、例えば、露点との温度差が０℃以下のときに「風量「強」で換気運転」する制御信号を生成すべきであることが分かる。あるいは、例えば、埃の濃度が０．１５ｍｇ／ｍ３以上のときに「風量「強」で空気清浄運転」する制御信号を生成すべきであることが分かる。あるいは、例えば、埃の濃度が０．１０ｍｇ／ｍ３〜０．１５ｍｇ／ｍ３のときに「風量「弱」で空気清浄運転」する制御信号を生成すべきであることが分かる。
【００４５】
＜環境制御システム１が室内ＲＭの空気環境を制御する処理の流れ＞
図１に示す環境制御システム１が室内ＲＭの空気環境を制御する処理の流れを、図３に示すフローチャートを用いて説明する。
【００４６】
図３に示すステップＳ１では、図１に示す室内ＲＭの空気環境が検知される。すなわち、図２に示す検知部１１により、室内ＲＭ（図１参照）の空気環境が検知される。
【００４７】
図３に示すステップＳ２では、図１に示す室内ＲＭの空気環境が快適範囲の範囲内であるか否かが判断される。すなわち、図２に示す環境制御装置１０の判定部１２により、室内ＲＭ（図１参照）の空気環境の情報が検知部１１から受け取られる。判定部１２により、記憶部１５が参照され、快適範囲情報１８が取得される。判定部１２により、室内ＲＭ（図１参照）の空気環境の情報と快適範囲情報１８とに基づき、室内ＲＭ（図１参照）の空気環境が快適範囲の範囲内であるか否かが判定される。快適範囲の範囲内であると判断された場合、ステップＳ１へ進められ、快適範囲の範囲内でないと判断された場合、ステップＳ３へ進められる。
【００４８】
図３に示すステップＳ３では、制御信号が生成される。すなわち、図２に示す環境制御装置１０の生成部１３により、判定部１２が判定した結果の情報と室内ＲＭ（図１参照）の空気環境の情報とが、判定部１２から受け取られる。ここで、判定部１２が判定した結果の情報は、室内ＲＭ（図１参照）の空気環境が快適範囲の範囲内であるか否かの情報である。生成部１３により、記憶部１５が参照され、制御情報１９が取得される。生成部１３により、判定部１２が判定した結果の情報と室内ＲＭ（図１参照）の空気環境の情報とに基づき、室内ＲＭ（図１参照）の空気環境が快適範囲の範囲内になるような制御信号が生成される。
【００４９】
図３に示すステップＳ４では、制御信号が送信される。すなわち、図２に示す環境制御装置１０の送信部１４により、制御信号の情報が生成部１３から受け取られる。送信部１４により、判定部１２が判定した結果の情報に基づき、制御信号が無線回線経由で空調機２０へ送信される。図２に示す空調機２０の受信部２１により、制御信号が無線回線経由で環境制御装置１０から受信される。環境提供部２２により、制御信号が受信部２１から受け取られる。
【００５０】
図３に示すステップＳ５では、空調環境が提供される。すなわち、図２に示す空調機２０の環境提供部２２により、制御信号に基づき、室内ＲＭ（図１参照）に空調環境が提供される。
【００５１】
＜環境制御システム１に関する特徴＞
（１）
ここでは、図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報と快適範囲情報１８とに基づき、室内ＲＭ（図１参照）の空気環境が快適範囲の範囲内であるか否かを判定する。生成部１３が、判定部１２が判定した結果の情報と室内ＲＭ（図１参照）の空気環境の情報とを判定部１２から受け取る。生成部１３が、判定部１２が判定した結果の情報と室内ＲＭ（図１参照）の空気環境の情報とに基づき、室内ＲＭ（図１参照）の空気環境が快適範囲の範囲内になるような制御信号を生成する。送信部１４が、制御信号の情報を生成部１３から受け取る。送信部１４が、判定部１２が判定した結果の情報に基づき、空調機２０に、室内ＲＭ（図１参照）の空気環境が快適範囲の範囲内になるような制御信号を無線回線経由で送信する。これにより、室内ＲＭ（図１参照）の空気環境が快適範囲の範囲内になるような制御信号を空調機２０が無線回線経由で受信する。
【００５２】
したがって、室内ＲＭ（図１参照）の空気環境が快適範囲の範囲内になるような制御信号を空調機２０に送信するので、快適範囲について利用者（図示せず）に意識させずに、室内ＲＭ（図１参照）の空気環境が快適範囲の範囲内になるように空調機２０を制御することが可能である。このため、利用者（図示せず）に意識させずに室内ＲＭ（図１参照）の空気環境を自動的に快適化することが可能である。
【００５３】
（２）
ここでは、図１に示す室内ＲＭの空気環境が、室内ＲＭの温度、室内ＲＭの露点との温度差、室内ＲＭの湿度及び室内の埃の濃度である（図４参照）。図２に示す検知部１１が、室内ＲＭ（図１参照）の空気環境を検知する。判定部１２が、室内ＲＭ（図１参照）の空気環境の情報を検知部１１から受け取る。判定部１２が、室内ＲＭ（図１参照）の空気環境の情報と快適範囲情報１８とに基づき、室内ＲＭ（図１参照）の空気環境が快適範囲の範囲内であるか否かを判定する。生成部１３が、判定部１２が判定した結果の情報と室内ＲＭ（図１参照）の空気環境の情報とを判定部１２から受け取る。生成部１３が、判定部１２が判定した結果の情報と室内ＲＭ（図１参照）の空気環境の情報とに基づき、室内ＲＭ（図１参照）の空気環境が快適範囲の範囲内になるような制御信号を生成する。送信部１４が、制御信号の情報を生成部１３から受け取る。送信部１４が、判定部１２が判定した結果の情報に基づき、空調機２０に、室内ＲＭ（図１参照）の空気環境が快適範囲の範囲内になるような制御信号を送信する。これにより、室内ＲＭ（図１参照）の空気環境が快適範囲の範囲内になるような制御信号を空調機２０が受信する。
【００５４】
したがって、図１に示す室内ＲＭの空気環境が快適範囲の範囲内であるか否かを詳細に判定することが可能であるので、室内ＲＭの空気環境が快適範囲の範囲内になるように空調機２０を詳細に制御することが可能である。
【００５５】
＜第１実施形態の変形例＞
（Ａ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも１つであってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。図２に示す検知部１１は、室内ＲＭの温度、室内ＲＭの湿度及び室内ＲＭの気圧を測定し、これらから室内ＲＭの露点温度を求め、室内ＲＭの露点との温度差を求めることにより、室内ＲＭの露点との温度差を検知してもよい。また、図２に示す検知部１１が室内ＲＭの温度、室内ＲＭの湿度及び室内ＲＭの気圧を検知し、これらの情報に基づいて判定部１２が、天気を予測して、その予測した天気も考慮して室内ＲＭの空気環境が快適範囲の範囲内であるか否かを判定してもよい。また、生成部１３が天気の予想も考慮して制御信号を生成してもよい。この場合、図１に示す室内ＲＭの空気環境が快適範囲の範囲内であるか否かをさらに詳細に判定することができ、室内ＲＭの空気環境が快適範囲の範囲内になるように空調機２０をさらに詳細に制御することができる。
【００５６】
検知部１２で検知された室内ＲＭの空気環境の情報は、記憶部１５に蓄積されてもよい。さらに、記憶部１５に記憶された室内ＲＭの空気環境の情報が分析されてもよい。これにより、室内ＲＭの空気環境の変化を予想して、室内ＲＭの空気環境が快適範囲の範囲内になるように空調機２０を制御することができる。
【００５７】
図２に示す生成部１３は、判定部１２が判定した結果の情報のみに基づいて、室内ＲＭ（図１参照）の空気環境が快適範囲の範囲内になるような制御信号を生成してもよい。この場合、図５に示す下限欄１９２と上限欄１９３とは無くてもよい。制御内容欄１９４には、快適範囲を高い方に外れたのか低い方に外れたのかにかかわらず快適範囲を外れた場合にナビゲートされるべき内容が記憶されていてもよい。
【００５８】
（Ｂ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す判定部１２が、室内ＲＭ（図１参照）の複数の空気環境に優先順位を付けて、室内ＲＭ（図１参照）の空気環境の情報と快適範囲情報１８とに基づき、室内ＲＭ（図１参照）の空気環境が快適範囲の範囲内であるか否かを判定してもよい。例えば、優先順位が室内ＲＭ（図１参照）の温度、室内ＲＭ（図１参照）の露点との温度差の順である場合、判定部１２は、室内ＲＭ（図１参照）の温度が快適範囲の範囲内にあれば、室内ＲＭ（図１参照）の露点との温度差が快適範囲の範囲内でなくても室内ＲＭ（図１参照）の空気環境が快適範囲の範囲内であると判定する。これにより、室内ＲＭ（図１参照）の空気環境のうち重要なもの（例えば、室内ＲＭ（図１参照）の温度）を優先的に快適化することができる。
【００５９】
（Ｃ）図１に示す室内ＲＭの空気環境は、室内ＲＭの温度、室内ＲＭの露点との温度差、室内ＲＭの湿度、室内ＲＭの気圧、室内ＲＭの気流、室内ＲＭの有害物質の濃度、室内ＲＭの埃の濃度及び室内ＲＭのマイナスイオン濃度のうち少なくとも２つ以上であってもよい。ここで、有害物質は、例えば、一酸化炭素、二酸化炭素、アレルゲン、ダニ、カビ、ホルムアルデヒド、有機化合物、ＶＯＣ（Ｖｏｌａｔｉｌｅ  Ｏｒｇａｎｉｃ  Ｃｏｍｐｏｕｎｄｓ；揮発性有機化合物）及び環境ホルモンの少なくとも１つであってもよい。この場合、図２に示す生成部１３は、室内ＲＭ（図１参照）の複数の空気環境に優先順位を付けて、判定部１２が判定した結果の情報と室内ＲＭ（図１参照）の空気環境の情報とに基づき、室内ＲＭ（図１参照）の空気環境が快適範囲の範囲内になるような制御信号を生成してもよい。例えば、優先順位が室内ＲＭ（図１参照）の温度、室内ＲＭ（図１参照）の露点との温度差の順である場合を考える。図５に示すように、室内ＲＭ（図１参照）の温度が１９℃以下であれば、「設定温度を２４℃で自動運転」する制御信号が生成されることになる。一方、室内ＲＭ（図１参照）の露点との温度差が０℃以下であれば、「風量「強」で換気運転」する制御信号が生成されることになる。この場合、室内ＲＭ（図１参照）の温度が快適範囲よりも低いにもかかわらず強制的に換気を行ってしまうと室内ＲＭ（図１参照）の温度が快適範囲よりもさらに低くなってしまう。そこで、生成部１３は、「風量「強」で換気運転」という制御内容は採用せずに、「設定温度を２４℃で自動運転」という制御内容のみに基づいて制御信号を生成する。したがって、複数の空気環境に優先順位を付けて室内ＲＭ（図１参照）の空気環境が快適範囲の範囲内になるような制御信号を生成するので、複数の制御内容がある場合にそれらを調整して制御信号を生成することができる。
【００６０】
（Ｄ）図２に示す生成部１３が生成する制御信号の内容は、空調機２０の運転モード、空調機２０の設定温度、空調機２０の設定湿度、空調機２０の設定風量、空調機２０の設定風向、空調機２０の除湿量、空調機２０の加湿量、空調機２０の換気量及び空調機２０の空気清浄能力の少なくとも１つについてのものであってもよい。したがって、空調機２０の運転モード、空調機２０の設定温度、空調機２０の設定湿度、空調機２０の設定風量、空調機２０の設定風向、空調機２０の除湿量、空調機２０の加湿量、空調機２０の換気量及び空調機２０の空気清浄能力の少なくとも１つについての制御信号を生成することができるので、室内ＲＭ（図１参照）の空気環境を詳細に快適化することができる。
【００６１】
（Ｅ）図１に示す環境制御装置１０は、図２に示すように、決定部１６と入力部１７とをさらに備えていてもよい。すなわち、入力部１７に、室内ＲＭ（図１参照）の空気環境に対する快適感が入力される。決定部１６が、快適感の情報を入力部１７から受け取る。決定部１６が、快適感の情報に基づいて、室内ＲＭ（図１参照）の空気環境の快適範囲を決定する。記憶部１５が、決定部１６が決めた快適範囲の情報を決定部１６から受け取る。記憶部１５が、決定部１６が決めた快適範囲を記憶する。すなわち、決定部１６が、決めた快適範囲の情報に基づいて、記憶部１５の快適範囲情報１８をデフォルトの情報から書き換える。
【００６２】
入力部１７には、例えば、図１に示す環境制御装置１０（ぴちょんくん）のおでこ３４が押されることにより快適であることが入力されてもよいし、環境制御装置１０（ぴちょんくん）の手３２が握られることにより快適であることが入力されてもよいし、環境制御装置１０（ぴちょんくん）のお腹３３が押されることにより快適であることが入力されてもよい。あるいは、入力部１７には、例えば、「快適だ」という音声がマイクなどの音声装置を介して入力されてもよい。これらの点で第１実施形態と異なる。
【００６３】
また、図１に示す環境制御システム１が室内ＲＭの空気環境を制御する処理の流れが、図６に示すように、次の点で第１実施形態と異なる。なお、図６に示すフローチャートにおいて、図３に示す処理と同様の処理は同じ記号で示し説明を省略する。
【００６４】
図６に示すステップＳ１１では、図１に示す環境制御装置１０の利用者（図示せず）により室内ＲＭ（図１参照）の空気環境が快適であるか否かが判断される。快適であると判断された場合、ステップＳ１２へ進められ、快適でないと判断された場合、ステップＳ１へ進められる。
【００６５】
図６に示すステップＳ１２では、図１に示す環境制御装置１０の利用者（図示せず）により室内ＲＭ（図１参照）の空気環境について快適感が入力される。すなわち、図２に示す環境制御装置１０の入力部１７に、室内ＲＭ（図１参照）の空気環境に対する快適感が入力される。決定部１６により、快適感の情報が入力部１７から受け取られる。
【００６６】
図６に示すステップＳ１３では、図１に示す室内ＲＭの空気環境が検知される。すなわち、図２に示す環境制御装置１０の検知部１１により、室内ＲＭ（図１参照）の空気環境が検知される。決定部１６により、室内ＲＭ（図１参照）の空気環境の情報が検知部１１から受け取られる。
【００６７】
図６に示すステップＳ１４では、図１に示す室内ＲＭの空気環境の快適範囲が決定される。すなわち、図２に示す決定部１６により、快適感の情報に基づいて、室内ＲＭ（図１参照）の空気環境の快適範囲が決定される。例えば、室内ＲＭ（図１参照）の温度が２１℃であるときに快適であるとされた場合、室内ＲＭ（図１参照）の温度の快適範囲である２０℃〜２６℃（図４参照）の幅はそのままで範囲の中心が２３℃から２１℃へとシフトされ、室内ＲＭ（図１参照）の温度の快適範囲が１８℃〜２４℃と決められる。
【００６８】
図６に示すステップＳ１５では、図１に示す室内ＲＭの空気環境の快適範囲が記憶される。すなわち、図２に示す記憶部１５により、決定部１６が決めた快適範囲の情報が決定部１６から受け取られる。記憶部１５により、決定部１６が決めた快適範囲が記憶される。すなわち、記憶部１５により、決定部１６が決めた快適範囲の情報に基づいて、快適範囲情報１８がデフォルトの情報から書き換えられる。
【００６９】
したがって、図１に示す室内ＲＭの空気環境の快適範囲が利用者（図示せず）の快適感の情報に基づいて決定されるので、快適範囲を利用者（図示せず）ごとに決定することができる。このため、利用者（図示せず）の好みに合わせて室内ＲＭの空気環境を快適化することができる。また、決定部１６（図２参照）が決めた快適範囲を記憶しているので、決定部１６（図２参照）が決めた快適範囲の情報を参照することができる。このため、室内ＲＭの空気環境が利用者（図示せず）の好みにあった快適範囲の範囲内になるような制御信号を生成することができる。
なお、図６に示すステップＳ１５は無くてもよい。この場合、図２に示す入力部１７に快適感が入力されたときのみ快適範囲が変更され、それ以外のときは快適範囲情報１８がデフォルトの快適範囲の情報とされてもよい。この場合、快適範囲情報１８は、書き換えられずデフォルトの情報のままである。決定部１６が決定した快適範囲の情報が、記憶部１５を経由せずに判定部１２へ渡されることになる。
【００７０】
また、図６に示すステップＳ１１で快適でないと判断された場合、図２に示す入力部１７には、不快である旨が入力されてもよい。この場合、決定部１６により、不快であるとされた空気環境が外れるように、室内ＲＭ（図１参照）の空気環境の快適範囲が決定されてもよい。
【００７１】
（Ｆ）図１に示す環境制御装置１０は、図２に示すように、演算部１８をさらに備えていてもよい。この場合、演算部１８が、室内ＲＭ（図１参照）の空気環境の情報を判定部１２から受け取る。演算部１８が、空調機２０が室内ＲＭ（図１参照）の空気環境を調和するのに要するエネルギー量を演算する。ここで、エネルギー量は電力量である。判定部１２が、エネルギー量の情報を演算部１８から受け取り、エネルギー量が所定の目標上限値を超えているか否かをさらに判定する。生成部１３が、エネルギー量が所定の目標上限値を超えているか否かの情報を判定部１２から受け取る。生成部１３が、エネルギー量が所定の目標上限値を超えている旨の情報を受け取った場合、制御内容を変更して制御信号を変更する。すなわち、生成部１３が、判定部が判定した結果の情報に基づき、エネルギー量が所定の目標上限値を超えないように、室内の空気環境が快適範囲の範囲内になるような制御信号を生成する。これらの点で第１実施形態と異なる。
【００７２】
また、図１に示す環境制御システム１が室内ＲＭの空気環境を制御する処理の流れが、図７に示すように、次の点で第１実施形態と異なる。なお、図７に示すフローチャートにおいて、図３に示す処理と同様の処理は同じ記号で示し説明を省略する。
【００７３】
図７に示すステップＳ２１では、エネルギー量が演算される。すなわち、図２に示す環境制御装置１０の演算部１８により、室内ＲＭ（図１参照）の空気環境の情報が判定部１２から受け取られる。演算部１８により、空調機２０が室内ＲＭ（図１参照）の空気環境を調和するのに要するエネルギー量が演算される。判定部１２により、エネルギー量の情報が演算部１８から受け取られる。
【００７４】
図７に示すステップＳ２２では、エネルギー量が所定の目標上限値を超えているか否かが図２に示す判定部１２により判定される。エネルギー量が所定の目標上限値を超えていると判定された場合、図７に示すステップＳ２３へ進められ、エネルギー量が所定の目標上限値を超えていないと判定された場合、ステップＳ４へ進められる。
【００７５】
図７に示すステップＳ２３では、制御信号が変更される。すなわち、図２に示す環境制御装置１０の生成部１３により、エネルギー量が所定の目標上限値を超えている旨の情報が受け取られる。生成部１３により、制御内容が変更されて、制御信号が変更される。
【００７６】
したがって、エネルギー量が目標上限値を超えないようにしつつ図１に示す室内ＲＭの空気環境が快適範囲の範囲内になるように空調機２０を制御することができるので、省エネルギー化を図りながら室内ＲＭの空気環境を快適化することができる。
【００７７】
なお、図７に示すステップＳ２２の判定は、生成部１３により行われてもよい。この場合、図７に示すステップＳ２１で、生成部１３により、エネルギー量の情報が演算部１８から受け取られることになる。エネルギー量は、例えば、電力量、ガス量、水の量及び石油類（ガソリンなど）の量の少なくとも１つであってもよい。
【００７８】
（Ｇ）図８に示すように環境制御システム１ａは、環境制御装置１０ａと空調機２０ａとを備えていてもよい。図９に示すように、環境制御装置１０ａが、生成部１３（図２参照）を備えていなくてもよい。空調機２０ａが、制御部２３ａを備えていてもよい。この場合、送信部１４が、判定部１２ａが判定した結果の情報を判定部１２ａから受け取る。送信部１４が、空調機２０ａに、判定部１２ａが判定した結果の情報を無線回線経由で送信する。空調機２０ａの受信部２１は、判定部１２ａが判定した結果の情報を無線回線経由で環境制御装置１０ａから受信する。空調機２０ａの制御部２３ａが、判定部１２ａが判定した結果の情報を受信部２１から受け取り、室内ＲＭ（図８参照）の空気環境が快適範囲の範囲内になるような制御信号を生成する。環境提供部２２が、制御部２３ａから制御信号を受け取り、制御信号に基づいて室内ＲＭ（図８参照）に空調環境を提供する。これらの点で第１実施形態と異なる。
【００７９】
また、図８に示す環境制御システム１ａが室内ＲＭの空気環境を制御する処理の流れが、図１０に示すように、次の点で第１実施形態と異なる。なお、図１０に示すフローチャートにおいて、図３に示す処理と同様の処理は同じ記号で示し説明を省略する。
【００８０】
図１０に示すステップＳ３１では、判定結果の情報が送信される。すなわち、図９に示す環境制御装置１０ａの送信部１４により、判定部１２ａが判定した結果の情報が判定部１２ａから受け取られる。送信部１４により、空調機２０ａに、判定部１２ａが判定した結果の情報が無線回線経由で送信される。
【００８１】
図１０に示すステップＳ３２では、制御信号が生成される。すなわち、図９に示す空調機２０ａの受信部２１により、判定部１２ａが判定した結果の情報が無線回線経由で環境制御装置１０ａから受信される。空調機２０ａの制御部２３ａにより、判定部１２ａが判定した結果の情報が受信部２１から受け取られ、室内ＲＭ（図８参照）の空気環境が快適範囲の範囲内になるような制御信号が生成される。環境提供部２２により、制御部２３ａから制御信号が受け取られる。
【００８２】
したがって、図８に示す室内ＲＭの空気環境が快適範囲の範囲内であるか否かの情報を空調機２０ａに送信するので、室内ＲＭの空気環境が快適範囲の範囲内になるような制御信号を空調機２０ａが決めることが可能である。このため、快適範囲について利用者に意識させずに、室内ＲＭの空気環境が快適範囲の範囲内になるように空調機２０ａが制御するようにすることが可能である。この結果、利用者に意識させずに室内ＲＭの空気環境を自動的に快適化することが可能である。
【００８３】
（Ｈ）第１実施形態の変形例（Ｇ）において、環境制御装置１０ａは、演算部１８をさらに備えていてもよい。この場合、演算部１８が、空調機２０ａが室内ＲＭ（図８参照）の空気環境を調和するのに要するエネルギー量を演算する。判定部１２ａが、エネルギー量の情報を演算部１８から受け取る。判定部１２ａが、室内ＲＭ（図８参照）の空気環境の情報に基づき、エネルギー量が所定の目標上限値を超えているか否かと、室内ＲＭ（図８参照）の空気環境が快適範囲の範囲内であるか否かとを判定する。これらの点で第１実施形態の変形例（Ｇ）と異なる。したがって、エネルギー量が目標上限値を超えないようにしつつ室内ＲＭ（図８参照）の空気環境が快適範囲の範囲内になるように空調機２０ａが制御するようにすることができるので、省エネルギー化を図りながら室内ＲＭ（図８参照）の空気環境を快適化することができる。
【００８４】
（Ｉ）図１に示す環境制御装置１０から空調機２０へは無線回線経由で情報が送信されるが、「無線」として、赤外線が用いられてもよいし、電波が用いられてもよい。環境制御装置１０から空調機２０へは、無線回線経由で情報が送信される代わりに、有線回線経由で情報が送信されてもよい。有線回線経由で情報が送信される場合、環境制御装置１０が持ち運びされるときに環境制御装置１０と有線回線との接続が切断されてもよい。このとき、さらに環境制御装置１０と空調機２０とは無線回線により接続されてもよい。空調機２０は、例えば、通常の空気調和機だけでなく、例えば、冷房機器、暖房機器、換気機器、除湿機、加湿機、空気清浄機などであってもよい。空調機２０は、複数あってもよい。空調機は、例えば、通常の空気調和機、冷房機器、暖房機器、換気機器、除湿機、加湿機及び空気清浄機の少なくとも１つ以上であってもよい。環境制御装置１０の外形は、ぴちょんくんでなくてもよい。例えば、動物のぬいぐるみであってもよいし、折りたたみのいすやテーブルのようなものであってもよいし、絵などを入れる額縁のようなものであってもよいし、電気スタンドや筆箱など、持ち運び可能なものであればどのようなものであってもよい。
【００８５】
［第２実施形態］
本発明の第２実施形態に係る環境制御システム１００の概念図を図１１に示す。また、本発明の第２実施形態に係る環境制御システム１００の各構成要素の構成図を図１２に示す。図１１，図１２において、図１，図２の環境制御システム１の構成要素と同様の構成要素は同じ番号で示してある。図１１に示す環境制御システム１００は、主として室内ＲＭの空調環境を制御するためのシステムである。環境制御装置１１０は、室内ＲＭに設置され、持ち運びが可能である。
【００８６】
この環境制御システム１００は、図１１，図１２に示すように、基本的な構造は第１実施形態と同様であり各構成要素は図２と同様であるが、図１１に示すように、環境制御装置１０がノートパソコンなどの携帯情報端末である点で第１実施形態と異なる。
【００８７】
室内ＲＭ（図１１参照）の空気環境が快適範囲の範囲内になるような制御信号を空調機２０に送信するので、快適範囲について利用者に意識させずに、空気環境が快適範囲の範囲内になるように空調機２０を制御することが可能である点は、第１実施形態と同様である。したがって、このような環境制御システム１００によっても、利用者に意識させずに室内ＲＭ（図１１参照）の空気環境を自動的に快適化することが可能である。
【００８８】
＜第２実施形態の変形例＞
（Ａ）図１２に示す入力部１１７は、図１１に示すキーボード１３２であってもよい。この場合、室内ＲＭの空気環境に対する快適感として詳細な情報が入力され得る。また、環境制御装置１１０は、ノートパソコン以外の携帯情報端末であってもよい。例えば、携帯電話であってもよいし、電子手帳であってもよいし、持ち運び可能なものであればどのようなものであってもよい。
【００８９】
（Ｂ）図１３に示すように環境制御システム１００ａは、環境制御装置１１０ａと空調機２０ａとを備えていてもよい。図１４に示すように、環境制御装置１１０ａが、生成部１３（図１２参照）を備えていなくてもよい。空調機２０ａが、制御部２３ａを備えていてもよい。この場合、送信部１４が、判定部１２ａが判定した結果の情報を判定部１２ａから受け取る。送信部１４が、空調機２０ａに、判定部１２ａが判定した結果の情報を無線回線経由で送信する。空調機２０ａの受信部２１は、判定部１２ａが判定した結果の情報を無線回線経由で環境制御装置１１０ａから受信する。空調機２０ａの制御部２３ａが、判定部１２ａが判定した結果の情報を受信部２１から受け取り、室内ＲＭ（図１３参照）の空気環境が快適範囲の範囲内になるような制御信号を生成する。環境提供部２２が、制御部２３ａから制御信号を受け取り、制御信号に基づいて室内ＲＭ（図１３参照）に空調環境を提供する。これらの点で第１実施形態と異なる。
【００９０】
また、図１３に示す環境制御システム１００ａが室内ＲＭの空気環境を制御する処理の流れは、第１実施形態の変形例（Ｇ）と同様である（図１０参照）。
【００９１】
したがって、図１３に示す室内ＲＭの空気環境が快適範囲の範囲内であるか否かの情報を空調機２０ａに送信するので、室内ＲＭの空気環境が快適範囲の範囲内になるような制御信号を空調機２０ａが決めることが可能である。このため、快適範囲について利用者に意識させずに、室内ＲＭの空気環境が快適範囲の範囲内になるように空調機２０ａが制御するようにすることが可能である。この結果、利用者に意識させずに室内ＲＭの空気環境を自動的に快適化することが可能である。
【００９２】
（Ｃ）第２実施形態の変形例（Ｂ）において、図１３に示す環境制御装置１１０ａは、図１４に示すように、演算部１８をさらに備えていてもよい。この場合、演算部１８が、空調機２０ａが室内ＲＭ（図１３参照）の空気環境を調和するのに要するエネルギー量を演算する。判定部１２ａが、エネルギー量の情報を演算部１８から受け取る。判定部１２ａが、室内ＲＭ（図１３参照）の空気環境の情報に基づき、エネルギー量が所定の目標上限値を超えているか否かと、室内ＲＭ（図１３参照）の空気環境が快適範囲の範囲内であるか否かとを判定する。これらの点で第２実施形態の変形例（Ｂ）と異なる。したがって、エネルギー量が目標上限値を超えないようにしつつ室内ＲＭ（図１３参照）の空気環境が快適範囲の範囲内になるように空調機２０ａが制御するようにすることができるので、省エネルギー化を図りながら室内ＲＭ（図１３参照）の空気環境を快適化することができる。
【産業上の利用可能性】
【００９３】
本発明にかかる環境制御装置、環境制御システム、環境制御方法及び環境制御プログラムは、利用者に意識させずに室内の空気環境を自動的に快適化することができるという効果を有し、環境制御装置、環境制御システム、環境制御方法及び環境制御プログラム等として有用である。
【図面の簡単な説明】
【００９４】
【図１】本発明の第１実施形態による環境制御システムの概念図。
【図２】本発明の第１実施形態による環境制御システムの構成図。
【図３】環境制御システムが室内の空気環境を制御する処理の流れを示すフローチャート。
【図４】快適範囲情報の内容を示す概念図。
【図５】提案情報の内容を示す概念図。
【図６】環境制御システムが室内の快適感の入力により空気環境を制御する処理の流れを示すフローチャート。
【図７】環境制御システムが室内のエネルギー消費を考慮して空気環境を制御する処理の流れを示すフローチャート。
【図８】本発明の第１実施形態の変形例による環境制御システムの概念図。
【図９】本発明の第１実施形態の変形例による環境制御システムの構成図。
【図１０】環境制御システムが室内ＲＭの空気環境を制御する処理の流れを示すフローチャート（変形例）。
【図１１】本発明の第２実施形態による環境制御システムの概念図。
【図１２】本発明の第２実施形態による環境制御システムの構成図。
【図１３】本発明の第２実施形態の変形例による環境制御システムの概念図。
【図１４】本発明の第２実施形態の変形例による環境制御システムの構成図。
【符号の説明】
【００９５】
１，１ａ，１００，１００ａ  環境制御システム
１０，１０ａ，１１０，１１０ａ  環境制御装置
２０，２０ａ  空調機
１１  検知部
１２，１２ａ  判定部
１３  生成部
１４  送信部
１５  記憶部
１６  決定部
１７，１１７  入力部
１８  演算部
ＲＭ  室内
【図１】
2006234381.tif 000003
【図２】
2006234381.tif 000004
【図３】
2006234381.tif 000005
【図４】
2006234381.tif 000006
【図５】
2006234381.tif 000007
【図６】
2006234381.tif 000008
【図７】
2006234381.tif 000009
【図８】
2006234381.tif 000010
【図９】
2006234381.tif 000011
【図１０】
2006234381.tif 000012
【図１１】
2006234381.tif 000013
【図１２】
2006234381.tif 000014
【図１３】
2006234381.tif 000015
【図１４】
2006234381.tif 000016